(57)【要約】【課題】無駄な取付ボスの増加を抑制しつつ、意匠カバーと収容部カバーのいずれもが取り付け可能なシリンダヘッドカバーを提供する。【解決手段】シリンダヘッドカバー１００は、部品を取り付ける部品取付部１１１と、ワイヤーハーネス３００を収容する収容部１１２と、収容部１１２の少なくとも一部を覆う収容部カバー４００の固定に使用される取付ボス１２０と、収容部１１２の少なくとも一部に加えて部品取付部１１１の少なくとも一部を覆う意匠カバー５００の固定に使用される複数の取付ボス１２０と、を備え、意匠カバー５００の固定に使用される取付ボス１２０のうち、少なくとも１つの取付ボス１２０が収容部カバー４００の固定に使用される取付ボス１２０を兼ねている。【選択図】図１
2014156808.tif 000002
【特許請求の範囲】
【請求項１】
部品を取り付ける部品取付部と、
前記部品とは別の部品を収容する収容部と、
前記収容部の少なくとも一部を覆う収容部カバーの固定に使用される取付ボスと、
前記収容部の少なくとも一部に加えて前記部品取付部の少なくとも一部を覆う意匠カバーの固定に使用される複数の取付ボスと、を備え、
前記意匠カバーの固定に使用される取付ボスのうち、少なくとも１つの取付ボスが前記収容部カバーの固定に使用される取付ボスを兼ねている
ことを特徴とするシリンダヘッドカバー。
【請求項２】
前記意匠カバーの固定に使用される取付ボスは、前記収容部と前記部品取付部の双方を挟む位置に対になって配設された外側取付ボスを含み、
前記収容部カバーの固定に使用される取付ボスは、前記収容部と前記部品取付部との間に配設された内側取付ボスを含み、
前記外側取付ボスのうち、前記内側取付ボスに対して前記収容部を挟んで位置する前記外側取付ボスが前記収容部カバーの固定に使用される取付ボスを兼ねている
ことを特徴とする請求項１に記載のシリンダヘッドカバー。
【請求項３】
前記外側取付ボスは、前記収容部の長手方向に離間させて複数設けられ、
前記内側取付ボスは、前記長手方向において、離間させて設けられた前記外側取付ボスの間に配設されている
ことを特徴とする請求項２に記載のシリンダヘッドカバー。
【請求項４】
前記内側取付ボスの高さが前記外側取付ボスの高さよりも低い
ことを特徴とする請求項２または請求項３に記載のシリンダヘッドカバー。
【請求項５】
前記取付ボスが、いずれも同じ形状の係合部を有している
ことを特徴とする請求項１〜請求項４のうちいずれか一項に記載のシリンダヘッドカバー。
【発明の詳細な説明】
【技術分野】
【０００１】
この発明は、エンジンのシリンダヘッドに固定されるシリンダヘッドカバーに関するものである。
【背景技術】
【０００２】
シリンダヘッドに固定されるシリンダヘッドカバーには、意匠カバーが取り付けられることがある（例えば、特許文献１）。意匠カバーはシリンダヘッドカバー上に取り付けられるイグニッションコイルなどの部品を覆い隠し、エンジンの見栄えを向上させる。
【先行技術文献】
【特許文献】
【０００３】
【特許文献１】特開２００３−５６３５７号公報
【発明の概要】
【発明が解決しようとする課題】
【０００４】
ところで、意匠カバーはシリンダヘッドカバー上に取り付けられた部品を覆い隠すようにシリンダヘッドカバーの広い範囲を覆うものが一般的である。しかし、その重量やコストを考慮すると、仕様によっては、シリンダヘッドカバーに取り付けられた部品に接続されるワイヤーハーネスの収容部など、機能上必要な一部分のみを覆う小型の収容部カバーを採用することも考えられる。
【０００５】
このとき、意匠カバーを取り付ける仕様のエンジンと収容部カバーを取り付ける仕様のエンジンとでシリンダヘッドカバーを使い分けるようにすることが考えられる。しかし、この場合には意匠カバーを取り付けるエンジンに使用するシリンダヘッドカバーと、収容部カバーを取り付けるエンジンに使用するシリンダヘッドカバーとを双方準備しなければならなくなる。
【０００６】
これに対して、シリンダヘッドカバーを１種類に統一し、意匠カバーを取り付けるための取付ボスに加えて、収容部カバーを取り付けるための取付ボスを設けることも考えられる。この場合には、いずれのカバーも取り付け可能になるものの、意匠カバーを取り付けた際には収容部カバーを取り付けるための取付ボスが無駄になり、収容部カバーを取り付けた際には意匠カバーを取り付けるための取付ボスが無駄になる。すなわち、使用されることのない無駄な取付ボスをたくさん設けることになってしまう。
【０００７】
この発明は、上記実情に鑑みてなされたものであり、その目的は、無駄な取付ボスの増加を抑制しつつ、意匠カバーと収容部カバーのいずれもが取り付け可能なシリンダヘッドカバーを提供することにある。
【課題を解決するための手段】
【０００８】
以下、上記課題を解決するための手段及びその作用効果について記載する。
上記課題を解決するためのシリンダヘッドカバーは、部品を取り付ける部品取付部と、前記部品とは別の部品を収容する収容部と、前記収容部の少なくとも一部を覆う収容部カバーの固定に使用される取付ボスと、前記収容部の少なくとも一部に加えて前記部品取付部の少なくとも一部を覆う意匠カバーの固定に使用される複数の取付ボスと、を備え、前記意匠カバーの固定に使用される取付ボスのうち、少なくとも１つの取付ボスが前記収容部カバーの固定に使用される取付ボスを兼ねていることをその要旨とする。
【０００９】
上記構成によれば、意匠カバーの固定に使用される取付ボスの一部が収容部カバーの固定に使用される取付ボスと共通化されているため、意匠カバーの固定に使用される取付ボスと収容部カバーの固定に使用される取付ボスとを全く別々に設ける場合と比較して無駄な取付ボスの増加を抑制することができる。したがって、無駄な取付ボスの増加を抑制しつつ、意匠カバーと収容部カバーのいずれもが取り付け可能なシリンダヘッドカバーにすることができる。
【００１０】
上記シリンダヘッドカバーにおいて、前記意匠カバーの固定に使用される取付ボスは、前記収容部と前記部品取付部の双方を挟む位置に対になって配設された外側取付ボスを含み、前記収容部カバーの固定に使用される取付ボスは、前記収容部と前記部品取付部との間に配設された内側取付ボスを含み、前記外側取付ボスのうち、前記内側取付ボスに対して前記収容部を挟んで位置する前記外側取付ボスが前記収容部カバーの固定に使用される取付ボスを兼ねていることをその要旨とする。
【００１１】
上記構成によれば、外側取付ボスは収容部と部品取付部の双方を挟む位置に対になって配設されている。そのため、外側取付ボスを使用することにより、収容部と部品取付部の双方を覆う意匠カバーを固定することができる。また、内側取付ボスは収容部と部品取付部との間に配設されているため、この内側取付ボスと、該内側取付ボスに対して収容部を挟んで位置する外側取付ボスとを使用することにより、部品取付部を覆わずに収容部を覆う収容部カバーを取り付けることができる。すなわち、上記構成によれば、外側取付ボスの一部に意匠カバーを固定する取付ボスとしての機能に加え、収容部カバーを固定する取付ボスとしての機能を具備させ、取付ボスの一部を共通化することができる。
【００１２】
上記シリンダヘッドカバーにおいて、前記外側取付ボスは、前記収容部の長手方向に離間させて複数設けられ、前記内側取付ボスは、前記長手方向において、離間させて設けられた前記外側取付ボスの間に配設されているのが好ましい。
【００１３】
上記構成によれば、収容部の長手方向に離間させて設けられた複数の外側取付ボスのうちの２つと、収容部を挟んで反対側に位置する１つの内側取付ボスとの少なくとも３点で収容部カバーを固定することができるため、少ない取付ボスで効果的に収容部カバーを固定することができる。
【００１４】
上記シリンダヘッドカバーにおいて、前記内側取付ボスの高さが前記外側取付ボスの高さよりも低いことが好ましい。
部品取付部と収容部との間に配設される内側取付ボスの高さが外側取付ボスの高さよりも高い場合には、部品取付部と収容部との双方を覆う意匠カバーを取り付ける際に内側取付ボスが邪魔になる。これに対して上記構成では、内側取付ボスの高さが、外側取付ボスの高さよりも低いため、意匠カバーを取り付ける際に内側取付ボスが邪魔になりにくい。
【００１５】
上記シリンダヘッドカバーにおいて、前記取付ボスが、いずれも同じ形状の係合部を有しているのが好ましい。
上記構成によれば、シリンダヘッドカバーの構成を簡素化することができる。
【図面の簡単な説明】
【００１６】
【図１】一実施形態のシリンダヘッドカバーの概略構成を示す側面図。
【図２】同実施形態にかかるシリンダヘッドカバーの上面図。
【発明を実施するための形態】
【００１７】
以下、上記課題を解決するシリンダヘッドカバーの一実施形態について、図１及び図２を参照して説明する。
図１に示すように、シリンダヘッドカバー１００は、シリンダヘッド２００に固定されるヘッドカバー本体１１０に、例えばイグニッションコイルなどの部品を取り付けるための部品取付部１１１を備えている。部品取付部１１１は、例えばヘッドカバー本体１１０の短手方向Ｘにおける中央付近に貫通形成された挿通孔である。
【００１８】
ヘッドカバー本体１１０において、シリンダヘッド２００に対する固定時に上側となる外面側には、イグニッションコイルなどの部品に接続される別の部品の一例であるワイヤーハーネス３００を収容する収容部１１２が設けられている。本実施形態の収容部１１２は、ヘッドカバー本体１１０の長手方向Ｙに延びる外縁に沿うように、ヘッドカバー本体１１０の短手方向Ｘにおける第１端側（図１では左端側）に配置されている。なお、長手方向Ｙは、図１では紙面と直交する方向である。
【００１９】
また、ヘッドカバー本体１１０の外面側には、シリンダヘッドカバー１００に選択的に取り付けられるカバー４００，５００の固定に使用される複数の取付ボス１２０（１２０ａ，１２０ｂ，１２０ｃ）が設けられている。複数の取付ボス１２０には、短手方向Ｘにおいて収容部１１２と部品取付部１１１の双方を挟む位置に対になって配設された外側取付ボス１２０ａ，１２０ｂと、短手方向Ｘにおいて収容部１１２と部品取付部１１１との間に配設された内側取付ボス１２０ｃとが含まれている。
【００２０】
短手方向Ｘにおいて、内側取付ボス１２０ｃは対になって配設された外側取付ボス１２０ａ，１２０ｂの間に位置する。なお、短手方向Ｘの第１端側に配置された外側取付ボス１２０ａと短手方向Ｘの第２端側（図１では右端側）に配置された外側取付ボス１２０ｂとは、高さが等しい。これに対して、内側取付ボス１２０ｃの高さは、この内側取付ボス１２０ｃを挟んで対になって配設されている外側取付ボス１２０ａ，１２０ｂの高さよりも低い。
【００２１】
複数の取付ボス１２０のうち、内側取付ボス１２０ｃは、収容部１１２の少なくとも一部を覆うカバーである収容部カバー４００の固定に使用される。これに対して、外側取付ボス１２０ａ，１２０ｂは、収容部１１２の少なくとも一部に加えて部品取付部１１１の少なくとも一部を覆うカバーである意匠カバー５００の固定に使用される。なお、意匠カバー５００の固定に使用される外側取付ボス１２０ａ，１２０ｂのうち、外側取付ボス１２０ａは、収容部カバー４００の固定に使用される取付ボス１２０を兼ねている。
【００２２】
複数の取付ボス１２０（１２０ａ，１２０ｂ，１２０ｃ）は、その先端側に、いずれも同じ形状の係合部１３０を有している。係合部１３０は、例えば収容部カバー４００の取付軸４１０の先端に形成された係合凹部４２０及び意匠カバー５００の取付軸５１０の先端に形成された係合凹部５２０の両方に係合可能な拡径部である。
【００２３】
図２に示すように、収容部１１２及び収容部カバー４００は、ヘッドカバー本体１１０の短手方向Ｘが短手方向になっているとともに、ヘッドカバー本体１１０の長手方向Ｙが長手方向となっている。また、部品取付部１１１は長手方向Ｙに沿って所定の間隔をあけて並ぶように複数設けられている。
【００２４】
外側取付ボス１２０ａ，１２０ｂは、いずれも長手方向Ｙに離間させて複数設けられている。一方、内側取付ボス１２０ｃは、長手方向Ｙにおいて、離間させて設けられた外側取付ボス１２０ａ，１２０ｂの間に配設されている。
【００２５】
意匠カバー５００は、平面視において略長方形状をなすヘッドカバー本体１１０の外縁沿いであって、その四隅に対応する位置に配置された４つの取付ボス１２０（１２０ａ，１２０ｂ）によって固定される。一方、長尺状をなす収容部カバー４００は、長手方向Ｙに並ぶように配置された２つの外側取付ボス１２０ａと、内側取付ボス１２０ｃとによって、すなわち３つの取付ボス１２０（１２０ａ，１２０ｃ）によって固定される。
【００２６】
次に、本実施形態にかかるシリンダヘッドカバー１００の作用について説明する。
シリンダヘッドカバー１００には、その仕様によって、収容部カバー４００か意匠カバー５００のいずれか一方が取り付けられる。ここで、収容部カバー４００と意匠カバー５００とは、ヘッドカバー本体１１０を覆う範囲の広さが異なるため、シリンダヘッドカバー１００には、収容部カバー４００を取り付けるための取付ボスと、意匠カバー５００を取り付けるための取付ボスとが必要になる。
【００２７】
ここで、外側取付ボス１２０ａは、収容部カバー４００と意匠カバー５００の両方の取り付けに使用できるように、その配置及び形状が共通化されている。そして、取付ボス１２０ａ，１２０ｃの係合部１３０に収容部カバー４００の係合凹部４２０が係合することにより、シリンダヘッドカバー１００に対して収容部カバー４００が取り付けられる。あるいは、取付ボス１２０ａ，１２０ｂの係合部１３０に意匠カバー５００の係合凹部５２０が係合することにより、シリンダヘッドカバー１００に対して意匠カバー５００が取り付けられる。
【００２８】
すなわち、シリンダヘッドカバー１００の外面側のほぼ全域を覆う大型の意匠カバー５００は、４つの取付ボス１２０（１２０ａ，１２０ｂ）によって固定される。一方、意匠カバー５００よりも小型の収容部カバー４００は、３つの取付ボス１２０（１２０ａ，１２０ｃ）によって固定される。したがって、少ない取付ボス１２０で収容部カバー４００と意匠カバー５００のいずれもがシリンダヘッドカバー１００に対して取り付け可能になる。
【００２９】
以上説明した実施形態によれば、以下の効果が得られる。
（１）意匠カバー５００の固定に使用される取付ボス１２０の一部である取付ボス１２０ａが収容部カバー４００の固定に使用される取付ボス１２０と共通化されているため、意匠カバー５００の固定に使用される取付ボスと収容部カバー４００の固定に使用される取付ボスとを全く別々に設ける場合と比較して、無駄な取付ボス１２０の増加を抑制することができる。したがって、無駄な取付ボス１２０の増加を抑制しつつ、意匠カバー５００と収容部カバー４００のいずれもが取り付け可能なシリンダヘッドカバー１００にすることができる。
【００３０】
（２）外側取付ボス１２０ａ，１２０ｂは収容部１１２と部品取付部１１１の双方を挟む位置に対になって配設されている。そのため、外側取付ボス１２０ａ，１２０ｂを使用することにより、収容部１１２と部品取付部１１１の双方を覆う意匠カバー５００を固定することができる。また、内側取付ボス１２０ｃは収容部１１２と部品取付部１１１との間に配設されているため、この内側取付ボス１２０ｃと、内側取付ボス１２０ｃに対して収容部１１２を挟んで位置する外側取付ボス１２０ａとを使用することにより、部品取付部１１１を覆わずに収容部１１２を覆う収容部カバー４００を取り付けることができる。すなわち、外側取付ボス１２０ａに意匠カバー５００を固定する取付ボス１２０としての機能に加え、収容部カバー４００を固定する取付ボス１２０としての機能を具備させ、取付ボス１２０の一部を共通化することができる。
【００３１】
（３）収容部１１２の長手方向Ｙに離間させて設けられた２つの外側取付ボス１２０ａと、収容部１１２を挟んで反対側に位置する１つの内側取付ボス１２０ｃとの少なくとも３点で収容部カバー４００を固定することができるため、少ない取付ボス１２０で効果的に収容部カバー４００を固定することができる。
【００３２】
（４）部品取付部１１１と収容部１１２との間に配設される内側取付ボス１２０ｃの高さが外側取付ボス１２０ａ，１２０ｂの高さよりも高い場合には、部品取付部１１１と収容部１１２との双方を覆う意匠カバー５００を取り付ける際に内側取付ボス１２０ｃが邪魔になる。その点、上記実施形態では、内側取付ボス１２０ｃの高さが、外側取付ボス１２０ａ，１２０ｂの高さよりも低いため、意匠カバー５００を取り付ける際に内側取付ボス１２０ｃが邪魔になりにくい。
【００３３】
（５）取付ボス１２０（１２０ａ，１２０ｂ，１２０ｃ）が、いずれも同じ形状の係合部１３０を有しているので、シリンダヘッドカバー１００の構成を簡素化することができる。
【００３４】
なお、上記実施形態は、これを適宜変更した以下の形態にて実施することもできる。
・収容部カバー４００は、必ずしも収容部１１２の全体を覆う大きさでなくてもよいし、あるいは、収容部１１２に隣接する他の部品等を一緒に覆うようにしてもよい。
【００３５】
・シリンダヘッドカバー１００に意匠カバー５００及び収容部カバー４００以外の別のカバーを取り付ける場合には、意匠カバー５００の固定に使用される取付ボス１２０のうち、少なくとも１つの取付ボス１２０がその別のカバーの固定に使用される取付ボス１２０を兼ねるようにしてもよい。なお、別のカバーとしては、例えば収容部１１２に収容されないワイヤーハーネス３００やヘッドカバー本体１１０に取り付けられる部品などを覆う部品カバーなどが挙げられる。
【００３６】
・意匠カバー５００は、全ての部品取付部１１１及び収容部１１２の全体を覆う大きさでなくてもよい。例えば、ヘッドカバー本体１１０から大きく突出する部品がシリンダヘッドカバー１００に取り付けられる場合や、開閉等の操作を行う部品が配置されている場合などには、その部品やその部品を取り付ける部品取付部１１１が意匠カバー５００によって覆われなくてもよい。
【００３７】
・部品取付部１１１は、イグニッションコイルを取り付けるための挿通孔に限らず、例えばエンジン制御に関連する各種センサを取り付ける取付ボスや、電子部品を実装した基板等を取り付けるフレームなどであってもよい。
【００３８】
・ワイヤーハーネス３００はイグニッションコイルに接続されるものに限らず、例えばインジェクタや各種センサなど、エンジン制御に関連する各種部品に接続される電線等が対象となる。
【００３９】
・収容部１１２に収容される部品はワイヤーハーネス３００に限らず、例えばインジェクタや各種センサなど、エンジン制御に関連する各種部品を収容部１１２に収容してもよい。
【００４０】
・外側取付ボス１２０ａ，１２０ｂの設置数や配置は任意に変更することができる。例えば、外側取付ボス１２０ａ，１２０ｂを１つずつ１対のみ配設してシリンダヘッドカバー１００の構成を簡素化してもよいし、外側取付ボス１２０ａ，１２０ｂを３対以上設けて意匠カバー５００を固定するようにしてもよい。
【００４１】
なお、外側取付ボス１２０ａを複数設ける場合には、そのうちの少なくとも１つを収容部カバー４００の固定に使用する一方、収容部カバー４００の固定に使用しない外側取付ボス１２０ａがあってもよい。この構成によれば、外側取付ボス１２０ａ及び収容部１１２の配置の自由度を向上させることができる。
【００４２】
また、対をなして設けられた外側取付ボス１２０ａ，１２０ｂに加えて、対をなさない外側取付ボス１２０を補助的に設けてもよい。この場合には、意匠カバー５００が平面視矩形状でない形状を有している場合にも、その意匠カバー５００をシリンダヘッドカバー１００に対して効率的に固定することができる。
【００４３】
・内側取付ボス１２０ｃの設置数や配置は任意に変更することができる。例えば、収容部１１２や収容部カバー４００の大きさに応じて、内側取付ボス１２０ｃを複数設けてもよい。この場合には、収容部カバー４００をより強固に固定することができる。
【００４４】
・取付ボス１２０ａ，１２０ｂ，１２０ｃの高さは任意に変更することができる。例えば、外側取付ボス１２０ａの高さが外側取付ボス１２０ｂよりも高い場合などには、内側取付ボス１２０ｃの高さを外側取付ボス１２０ｂと等しくしてもよい。この構成によれば、意匠カバー５００を取り付ける際に内側取付ボス１２０ｃが邪魔になりにくい。
【００４５】
・取付ボス１２０の係合部１３０の形状は任意に変更することができる。例えば、係合部１３０は係合凹部、係止孔、係止爪、ねじ穴あるいはヒンジなどでもよい。また、取付ボス１２０ａ，１２０ｂ，１２０ｃの形状が互いに異なってもよいし、長手方向Ｙに並ぶように複数設けられた外側取付ボス１２０同士の形状が互いに異なってもよい。さらに、内側取付ボス１２０ｃが複数設けられる場合には、それらの形状が互いに異なってもよい。この構成によれば、カバー４００，５００を取り付ける向きを規定することができる。
【００４６】
・収容部１１２の形状や配置は任意に変更することができる。例えば、収容部１１２を収容凹部とした場合には、取付ボス１２０ａ，１２０ｃの高さを低くすることができる。
・１つの収容部１１２に対して、複数の収容部カバー４００を取り付けるようにしてもよい。
【００４７】
・収容部１１２を複数設けてもよい。この場合には、複数の収容部１１２を１つの収容部カバー４００で覆ってもよいし、収容部１１２毎に別個の収容部カバー４００を取り付けてもよい。あるいは、１つの収容部カバー４００が複数の収容部１１２にまたがるようにしてもよい。
【符号の説明】
【００４８】
１００…シリンダヘッドカバー、１１１…部品取付部、１１２…収容部、１２０，１２０ａ，１２０ｂ，１２０ｃ…取付ボス、１２０ａ，１２０ｂ…外側取付ボス、１２０ｃ…内側取付ボス、１３０…係合部、４００…収容部カバー、５００…意匠カバー。
【図１】
2014156808.tif 000003
【図２】
2014156808.tif 000004